(57)【特許請求の範囲】
【請求項１】
流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器の手動作動装置であって、
該手動作動装置は、前記ステムの上端部に固定可能であって互いに水平逆方向に延出された２本の延出棒を備えた固定部材と、この固定部材に対して着脱自在に取り付けられる操作部材とから構成され、
前記操作部材は所定距離を隔てて平行に設けられた２枚のプレートを備えてなるとともに、該プレートは直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増していることを特徴とする空圧作動式制御器の手動作動装置。
【請求項２】
流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器であって、
前記ステムの上端部には、互いに水平逆方向に延出された２本の延出棒を備えた固定部材が取着されてなるとともに、
直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増しているプレートを備えた操作部材が、前記固定部材に対して着脱自在に取り付けられてなることを特徴とする空圧作動式制御器。
【発明の詳細な説明】
【０００１】
【発明の属する技術分野】
本発明は空圧作動式制御器の手動作動装置及びこの作動装置を備えた空圧作動式制御器に係り、その目的は空圧作動式制御器の流路を手動で容易に開放することが可能で、しかもその開放の度合いをそのまま長時間にわたって維持することができる手動作動装置及び流体制御器を提供することにある。
【０００２】
【従来の技術】
腐食性流体或いは高純度を要求される流体を取り扱う化学工業プラントにおいては一般に図１０に示すような空圧作動式のダイヤフラム弁が使用されていることが多い。
図１０に示すダイヤフラム弁は、弁箱（Ａ）、ステム（Ｂ）、ダイヤフラム（Ｃ）、ボンネット（Ｄ）、スプリング（Ｅ）、コンプレッサー（Ｆ）、キャップ（Ｇ）から構成されており、弁箱（Ａ）には流路（Ａ１）とシール座（Ａ２）が設けられている。
かかる構成からなるダイヤフラム弁（Ｚ）は、ステム（Ｂ）の上下動によりダイヤフラム（Ｃ）をコンプレッサー（Ｆ）を介して弁箱（Ａ）のシール座（Ａ２）へ圧接又は離間させることにより流路（Ａ１）の開閉を行う構造となっており、流路が閉鎖されている図１０の状態から流路を開放する際には、インレットポート（Ｊ）からエアー通路（Ｉ）を介してエアーを導入してコンプレッサー（Ｆ）を上昇させる。すると、コンプレッサー（Ｆ）の上昇に伴い、図１１の拡大図に示すようにダイヤフラム（Ｃ）がシール座（Ａ２）から離間して流路（Ａ１）が開放される。
【０００３】
【発明が解決しようとする課題】
ところが、上記したような空圧作動式の流体制御器は、ハンドルを手動で回転させる手動作動式の流体制御器に比べて操作性に優れているものの、エアー圧力の調節によって弁の開放の度合いを調節するように構成されているため、弁の開放の度合いを長時間にわたって一定に保つことが難しく、一定量の流体を長時間にわたって取り出してサンプリングしたい場合などには不向きであった。
そこで業界では、手動での操作が可能であって、弁の開放度合いを長時間にわたって一定に保つことができる空圧作動式流体制御器の創出が望まれていた。
【０００４】
【課題を解決するための手段】
本発明は上記実情に鑑みてなされたものであって、請求項１記載の発明は、流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器の手動作動装置であって、該手動作動装置は、前記ステムの上端部に固定可能であって互いに水平逆方向に延出された２本の延出棒を備えた固定部材と、この固定部材に対して着脱自在に取り付けられる操作部材とから構成され、前記操作部材は所定距離を隔てて平行に設けられた２枚のプレートを備えてなるとともに、該プレートは直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増していることを特徴とする空圧作動式制御器の手動作動装置である。
また請求項２記載の発明は、流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器であって、前記ステムの上端部には、互いに水平逆方向に延出された２本の延出棒を備えた固定部材が取着されてなるとともに、直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増しているプレートを備えた操作部材が、前記固定部材に対して着脱自在に取り付けられてなることを特徴とする空圧作動式制御器である。
【０００５】
【発明の実施の形態】
以下、本発明に係る空圧作動式制御器の手動作動装置及びこの作動装置を備えた空圧作動式制御器の好適な実施形態を図面に基づいて説明する。
本発明に係る手動作動装置（１）は、空圧作動式制御器のステム上端に取り付け可能な固定部材（２）と、この固定部材（２）に対して着脱自在に取り付けられる操作部材（３）とから構成される。
【０００６】
図１は固定部材（２）の正面図であり、図２はその上面図である。
固定部材（２）は、雄ねじ部（２１）と、その上端に螺着されたナット（２２）と、雄ねじ部（２１）の上部に設けられた円板部（２３）と、円板部（２３）の外周面から互いに水平逆方向に延出された２本の延出棒（２４）とから構成されている。
この固定部材（２）は、図３に示すように雄ねじ部（２１）を空圧作動式の流体制御器（５）のステム（４）の上端に形成された雌ねじ部（４１）に螺合させることによってステム（４）の上端に固定される。
【０００７】
図４は操作部材（３）の正面図であり、図５はその上面図であり、この操作部材（３）はトグル機構を利用するものである。
操作部材（３）は、所定距離を隔てて平行に設けられた２枚のプレート（３１）、（３１）と、これら２枚のプレートに挟持されるように取り付けられた棒体（３２）から構成されている。
プレート（３１）は、直線状の上辺と該上辺の一端（図４では左端）と連続する曲線状の下辺を備えており、上辺には前記延出棒（２４）を嵌入可能な略半円状の切り欠き部（３３）が形成されている。
そして、プレート（３１）の上辺の一端から下辺の下端にかけての曲線部（３４）は切り欠き部（３３）からの距離が漸増している。
尚、棒体（３２）については、２枚のプレート（３１）、（３１）を所定距離を隔てて平行に固定することが可能であれば、その長さや形状については何ら限定されない。
【０００８】
プレート（３１）の好ましい形状の一例を図６に基づいて具体的に数値を挙げて説明すると、切り欠き部（３３）の直径Ａ、上辺から中心までの距離Ｂをそれぞれ３ｍｍ、切り欠き部（３３）から上辺の一端（左端）までの距離Ｃを１９ｍｍとしたとき、切り欠き部（３３）からの距離Ｄ，Ｅ，Ｆ，Ｇ，Ｈ，Ｉ，Ｊ，Ｋ，Ｌ，Ｍはそれぞれ１９ｍｍ，１９ｍｍ，１９ｍｍ，１９．３ｍｍ，２０ｍｍ，２１ｍｍ，２２ｍｍ，２３ｍｍ，２４ｍｍ，２４ｍｍとされる。尚、Ｄ〜Ｌの角度間隔はそれぞれ１０°である。
また、上辺の一端の上角部のアールＲは３ｍｍ、上辺の他端（右端）の上下方向長さＮは２０ｍｍ，上辺から下辺の下端部までの距離Ｐは２７ｍｍとされる。
尚、ここに挙げた数値はあくまでも一例であって、プレートの大きさや形状がこの数値に何ら限定されないのは言うまでもない。
【０００９】
図７は操作部材（３）の切り欠き部（３３）に固定部材（２）の延出棒（２４）を嵌入させた状態を示す上面図であり、操作部材（３）の２枚のプレート（３１）、（３１）の間に固定部材（２）の円板部（２３）が挟まれるようになる。
【００１０】
上記構成からなる手動作動装置（１）を使用する場合には、先ず図８に示すように、固定部材（２）の雄ねじ部（２１）を制御器（５）のステム（４）上端に形成された雌ねじ部（２２）に螺合させ、その状態で固定部材（２）の延出棒（２４）を操作部材（３）のプレート（３１）に形成された切り欠き部（３３）に嵌入させる。
この状態ではステム（４）は下降した状態にあり、従ってステム（４）と連結されたコンプレッサー（６）も下降状態にあり、ダイヤフラム（７）は弁箱（８）のシール座（９）と当接し、流路（１０）は閉鎖されている。
【００１１】
図８の状態から手動作動装置（１）を矢印方向に回転させると、操作部材（３）のプレート（３１）に形成された曲線部（３４）によって、図９に示す如くキャップ（１１）の上面と切り欠き部（３３）との距離が増加し、ステム（４）が引き上げられることとなる。
このステム（４）の上昇に伴ってステム（４）と連結されたコンプレッサー（６）も上昇し、これによりダイヤフラム（７）が引き上げられてシール座（９）から離間して流路（１０）が開放される。
【００１２】
このとき、上辺の一端から下辺の下端にかけての曲線部（３４）が切り欠き部（３３）からの距離が漸増するように構成されていることにより、流路の開放の度合いを微妙に調節することができる。しかも、開放状態では、操作部材（３）のプレート（３１）がスプリング（１２）の弾性力によって固定部材（２）の延出棒（２４）とキャップ（１１）の上面との間で挟持されているため、手動作動装置（１）は外力が加わらない限り動くことがなく、一旦所要の開放度合いに調節した後は、放置しておくだけでそのままその開放度合いを維持することができる。
【００１３】
尚、上記構成からなる手動作動装置（１）は、図８に示すように制御器（５）のステム（４）上端に取り付けておくこともできる。尚このとき、固定部材（２）は常時取り付けておくとよいが、操作部材（３）については誤作動を防ぐために外しておいてもよい。
このように、予め手動作動装置（１）が取り付けられた制御器（５）とすることにより、インレットポート（１３）からのエアーの導入によって流路を開放することができるのは勿論のこと、手動作動装置（１）の操作によっても流路を開放することが可能であって、しかも開放の度合いを長時間にわたって一定に維持することができる空圧作動式制御器となる。
【００１４】
【発明の効果】
以上説明したように、請求項１に係る発明は、流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器の手動作動装置であって、該手動作動装置は、前記ステムの上端部に固定可能であって互いに水平逆方向に延出された２本の延出棒を備えた固定部材と、この固定部材に対して着脱自在に取り付けられる操作部材とから構成され、前記操作部材は所定距離を隔てて平行に設けられた２枚のプレートを備えてなるとともに、該プレートは直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増していることを特徴とする空圧作動式制御器の手動作動装置であるから、この装置を使用することによって、極めて簡単な手動操作で空圧作動式制御器の弁の開閉を行うことができ、しかもその開放の度合いをそのまま長時間にわたって維持することができる。
【００１５】
請求項２に係る発明は、流路を有する弁箱と、この弁箱のシール座と当接して設けられたダイヤフラムと、このダイヤフラムの上部に当接するコンプレッサーと、このコンプレッサーに連結されたステムからなり、インレットポートからのエアーの導入によりコンプレッサーを上昇させてダイヤフラムをシール座から離間し流路を開放するように構成されてなる空圧作動式制御器であって、前記ステムの上端部には、互いに水平逆方向に延出された２本の延出棒を備えた固定部材が取着されてなるとともに、直線状の上辺と該上辺の一端と連続する曲線状の下辺を備え、前記上辺には前記延出棒を嵌入可能な略半円状の切り欠き部が形成され、前記上辺の一端から下辺の下端にかけての曲線部は前記切り欠き部からの距離が漸増しているプレートを備えた操作部材が、前記固定部材に対して着脱自在に取り付けられてなることを特徴とする空圧作動式制御器であるから、インレットポートからのエアーの導入によって流路を開放することができるのは勿論のこと、手動作動装置の操作によっても流路を開放することが可能で、しかもその開放の度合いをそのまま長時間にわたって維持することができる空圧作動式制御器となる。
【図面の簡単な説明】
【図１】本発明に係る手動作動装置の固定部材の正面図である。
【図２】本発明に係る手動作動装置の固定部材の上面図である。
【図３】固定部材の取り付け方を示す説明図である。
【図４】本発明に係る手動作動装置の操作部材の正面図である。
【図５】本発明に係る手動作動装置の操作部材の上面図である。
【図６】プレートの好ましい形状の一例を示す図である。
【図７】操作部材の切り欠き部に固定部材の延出棒を嵌入させた状態を示す上面図である。
【図８】本発明に係る手動作動装置の使用方法を説明する説明図である。
【図９】本発明に係る手動作動装置の使用方法を説明する説明図である。
【図１０】従来の空圧作動式流体制御器の一実施例を示す断面図である。
【図１１】図１０に示した従来例における流路の開放状態を示した拡大断面図である。
【符号の説明】
１    手動作動装置
２    固定部材
３    操作部材
２４  延出棒
３１  プレート
３３  切り欠き部
３４  曲線部
４    ステム
５    空圧作動式制御器
６    コンプレッサー
７    ダイヤフラム
８    弁箱
９    シール座
１０  流路
１３  インレットポート
【図１】
0004089842.tif 000002
【図２】
0004089842.tif 000003
【図３】
0004089842.tif 000004
【図４】
0004089842.tif 000005
【図５】
0004089842.tif 000006
【図６】
0004089842.tif 000007
【図７】
0004089842.tif 000008
【図８】
0004089842.tif 000009
【図９】
0004089842.tif 000010
【図１０】
0004089842.tif 000011
【図１１】
0004089842.tif 000012